(57)【要約】【課題】印刷装置にて、給紙部（給紙段）を自動的に選択する場合にも、印刷設定に対応する給紙段をより適切に選択して、印刷ジョブを実行する技術を提供する。【解決手段】本発明の印刷装置は、複数の給紙段のそれぞれに収容されているシートを使用した印刷を許可する条件を規定した印刷条件を、ユーザの指示に応じて給紙段ごとに設定する。印刷装置は、入力された印刷ジョブから抽出した印刷設定において、給紙元の設定として自動選択が設定されていると、複数の給紙段のうち、設定した印刷条件を用いた判定によって、収容されているシートを使用した印刷が許可される給紙段を、給紙元として決定する。更に、印刷装置は、決定した給紙段に収容されているシートを使用して、印刷ジョブを実行する。【選択図】図１３
2013256097.tif 000002
【特許請求の範囲】
【請求項１】
印刷装置であって、
シートがそれぞれ収容されている複数の給紙部と、
前記複数の給紙部のそれぞれに収容されているシートを使用した印刷を許可する条件を規定した印刷条件を、ユーザの指示に応じて給紙部ごとに設定する設定手段と、
印刷ジョブが入力されると、当該印刷ジョブに使用すべきシートの給紙元についての設定を含む、当該印刷ジョブに従った印刷のための印刷設定を、当該印刷ジョブから抽出する抽出手段と、
前記印刷ジョブのために、前記給紙元を自動的に選択する自動選択が、前記給紙元についての設定として設定されていると、前記複数の給紙部のうち、設定された前記印刷条件に前記印刷設定が適合することによって、収容されているシートを使用した印刷が許可される給紙部を、前記給紙元として決定する決定手段と、
前記決定された給紙部に収容されているシートを使用して、前記印刷ジョブを実行する実行手段と
を備えることを特徴とする印刷装置。
【請求項２】
前記印刷設定は、前記印刷ジョブに使用すべきシートの特性についての設定を含み、
前記設定手段は、
前記複数の給紙部のそれぞれについて、収容されているシートに対応する前記印刷条件を設定し、かつ、設定した当該印刷条件を、当該シートの特性に関連付けて前記印刷装置の記憶手段に記憶させ、
前記決定手段は、
前記印刷ジョブのために、前記自動選択が前記給紙元についての設定として設定されていると、前記記憶手段を参照して、前記印刷設定のために設定されている前記特性を有するシートが収納されている給紙部であって、設定された前記印刷条件に前記印刷設定が適合することによって、収容されているシートを使用した印刷が許可される給紙部を特定し、特定した当該給紙部を前記給紙元として決定する
ことを特徴とする請求項１に記載の印刷装置。
【請求項３】
前記設定手段は、
前記複数の給紙部のそれぞれについて、収納されているシートに対して、マルチカラー印刷のみ、モノカラー印刷のみ、または、マルチカラー印刷及びモノカラー印刷の両方、を許可することを、前記印刷条件として設定することを特徴とする請求項１または２に記載の印刷装置。
【請求項４】
前記設定手段は、
前記複数の給紙部のそれぞれについて、収納されているシートに対して、片面印刷のみ、両面印刷のみ、または、片面印刷及び両面印刷の両方、を許可することを、前記印刷条件として設定することを特徴とする請求項１または２に記載の印刷装置。
【請求項５】
前記決定手段は、
前記給紙元についての設定として、前記複数の給紙部のいずれかが指定されており、かつ、当該指定された給紙部に対応する前記印刷条件に前記印刷設定が適合すると、当該指定された給紙部を前記給紙元として決定することを特徴とする請求項１乃至４のいずれか１項に記載の印刷装置。
【請求項６】
前記決定手段は、
前記給紙元についての設定として、前記複数の給紙部のいずれかが指定されており、かつ、当該指定された給紙部に対応する前記印刷条件に前記印刷設定が適合しないと、当該指定された給紙部とは異なる給紙部から、設定された前記印刷条件に前記印刷設定が適合することによって、収容されているシートの使用した印刷が許可される給紙部を特定し、特定した当該給紙部を前記給紙元として決定することを特徴とする請求項５に記載の印刷装置。
【請求項７】
前記設定手段を介して設定された前記印刷条件に対応する給紙部に収容されているシートに、当該印刷条件に従って印刷を実行できるか否かを、当該シートの特性に基づいて判定し、当該シートに対する印刷を実行できないと判定すると、当該判定の結果をユーザに通知する通知手段を更に備えることを特徴とする請求項１乃至６のいずれか１項に記載の印刷装置。
【請求項８】
前記特性には、シートの種類、シートのサイズ、シートの色、シートの表面特性、及びシートの坪量のうちの少なくとも１つが含まれることを特徴とする請求項２または７に記載の印刷装置。
【請求項９】
シートがそれぞれ収容されている複数の給紙部を備える印刷装置の制御方法であって、
前記複数の給紙部のそれぞれに収容されているシートを使用した印刷を許可する条件を規定した印刷条件を、ユーザの指示に応じて給紙部ごとに設定する設定工程と、
印刷ジョブが入力されると、当該印刷ジョブに使用すべきシートの給紙元についての設定を含む、当該印刷ジョブに従った印刷のための印刷設定を、当該印刷ジョブから抽出する抽出工程と、
前記印刷ジョブのために、前記給紙元を自動的に選択する自動選択が、前記給紙元についての設定として設定されていると、前記複数の給紙部のうち、設定された前記印刷条件に前記印刷設定が適合することによって、収容されているシートを使用した印刷が許可される給紙部を、前記給紙元として決定する決定工程と、
前記決定された給紙部に収容されているシートを使用して、前記印刷ジョブを実行する実行工程と
を含むことを特徴とする印刷装置の制御方法。
【請求項１０】
請求項９に記載の印刷装置の制御方法における各工程をコンピュータに実行させるためのプログラム。
【発明の詳細な説明】
【技術分野】
【０００１】
本発明は、印刷装置及びその制御方法、並びにプログラムに関するものである。
【背景技術】
【０００２】
一般に、印刷装置（プリンタ）等の画像形成装置では、厚紙やコート紙等、坪量の大きい記録用紙の場合には両面印刷の実行が制限される等、シート（記録用紙）の種類に依存して印刷の実行が制限されることがある。このような場合に、例えば、記録用紙の設定として厚紙が指定された場合には、両面印刷の設定を行えないようにする等、印刷装置の構造上、印刷の実行が制限される印刷設定を、予め指定できないようにする技術が知られている（例えば、特許文献１を参照）。
【０００３】
オフィス環境等の、多数のユーザが印刷装置を共有する環境では、印刷物の用途、及びユーザが望む印刷物の品質は、ユーザごとに様々に異なりうる。このような環境では、複数の給紙段を備える印刷装置を用意して、様々な種類の記録用紙を、それぞれ異なる給紙段に収容させておくことによって、ユーザがいずれかの給紙段を指定して、所望の印刷物を得られるようにしている。しかし、ユーザが、印刷装置に印刷ジョブを実行させる際に、印刷装置の各給紙段に収容されている記録用紙の種類を事前に把握しておくことは難しい。そこで、印刷ジョブのために、記録用紙の種類（及びサイズ）を指定するとともに、給紙段については自動的に印刷装置が選択するように設定しておくことで、指定された種類（及びサイズ）の記録用紙を用いた印刷を可能にしている。
【先行技術文献】
【特許文献】
【０００４】
【特許文献１】特開２００７−３２０２４７号公報
【発明の概要】
【発明が解決しようとする課題】
【０００５】
印刷ジョブのために、給紙段を自動的に選択することが設定されている場合、印刷装置は、例えば、当該印刷ジョブで指定された記録用紙の種類（及びサイズ）に対応した記録用紙が収容されている給紙段を自動的に選択して、印刷を実行する。印刷装置は、印刷設定で指定された種類（及びサイズ）の記録用紙が収容されている給紙段が複数存在する場合、例えば、給紙段に割り当てられている番号が最も小さい給紙段、または給紙に要する時間が最も短い給紙段を、記録用紙の給紙元として選択しうる。
【０００６】
このような場合、印刷ジョブにおける印刷設定に対応した記録用紙が収容されている給紙段が、必ずしも適切に選択されるとは限らない。例えば、両面印刷の実行が設定されている場合に、印刷装置の構造上、両面印刷の実行には適さない記録用紙が収容されている給紙段が記録用紙の給紙元として選択されてしまう可能性がある。
【０００７】
本発明は、上述の問題に鑑みてなされたものである。本発明は、印刷装置にて、給紙部（給紙段）を自動的に選択する場合にも、印刷設定に対応する給紙段をより適切に選択して、印刷ジョブを実行する技術を提供することを目的としている。
【課題を解決するための手段】
【０００８】
本発明は、例えば、印刷装置として実現できる。印刷装置は、シートがそれぞれ収容されている複数の給紙部と、複数の給紙部のそれぞれに収容されているシートを使用した印刷を許可する条件を規定した印刷条件を、ユーザの指示に応じて給紙部ごとに設定する設定手段と、印刷ジョブが入力されると、当該印刷ジョブに使用すべきシートの給紙元についての設定を含む、当該印刷ジョブに従った印刷のための印刷設定を、当該印刷ジョブから抽出する抽出手段と、印刷ジョブのために、給紙元を自動的に選択する自動選択が、給紙元についての設定として設定されていると、複数の給紙部のうち、設定された印刷条件に印刷設定が適合することによって、収容されているシートを使用した印刷が許可される給紙部を、給紙元として決定する決定手段と、決定された給紙部に収容されているシートを使用して、印刷ジョブを実行する実行手段とを備えることを特徴とする。
【発明の効果】
【０００９】
本発明によれば、印刷装置にて、給紙部を自動的に選択する場合にも、印刷設定に対応する給紙段をより適切に選択して、印刷ジョブを実行する技術を提供することができる。
【図面の簡単な説明】
【００１０】
【図１】本発明の第１の実施形態に係る印刷装置１１０の概略的なハードウェア構成を示すブロック図である。
【図２】本発明の第１の実施形態に係る印刷装置１１０の概略的なソフトウェア構成を示すブロック図である。
【図３】本発明の第１の実施形態に係る印刷装置１１０において設定されている、記録用紙の種類（用紙タイプ）に関する情報の一例を示す図である。
【図４】本発明の第１の実施形態に係る印刷装置１１０において設定されている、用紙サイズ及び用紙タイプに対応する印刷機能に関する情報の一例を示す図である。
【図５】本発明の第１の実施形態に係る印刷装置１１０において設定及び管理されている、メディアライブラリ２０４に登録されている情報の一例を示す図である。
【図６】記録用紙の種類を管理及び設定するためのメニューの先頭画面の一例を示す図である。
【図７】用紙種類の編集を行うための設定画面の一例を示す図である。
【図８】用紙の条件設定を行うための設定画面の一例を示す図である。
【図９】用紙アサイン設定を行うための設定画面の一例を示す図である。
【図１０】用紙サイズの選択を行うための選択画面の一例を示す図である。
【図１１】本発明の第１の実施形態に係る外部端末１０１によって実行される、印刷ジョブの生成処理の手順を示すフローチャートである。
【図１２】本発明の第１の実施形態に係る印刷装置１１０によって実行される、印刷処理の手順を示すフローチャートである。
【図１３】本発明の第１の実施形態に係る印刷装置１１０によって実行される、給紙段の決定処理の手順を示すフローチャートである。
【図１４】印刷条件の推奨設定について設定を行うための設定画面の一例を示す図である。
【図１５】本発明の第２の実施形態に係る印刷装置１１０によって実行される、印刷条件の設定処理の手順を示すフローチャートである。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
［第１の実施形態］
＜印刷装置１１０のハードウェア構成＞
まず、図１乃至図１３を参照して、本発明の第１の実施形態について説明する。図１は、本実施形態に係る印刷装置１１０の概略的なハードウェア構成を示すブロック図である。印刷装置１１０は、ＬＡＮ等の通信回線１０５に接続されている。通信回線１０５には外部端末１０１も接続されている。外部端末１０１及び印刷装置１１０は、通信回線１０５を介して相互に接続されており、通信回線１０５を介して相互に通信可能である。なお、通信回線１０５には、外部端末１０１以外にも何台の外部端末が接続されていてもよい。多数のユーザが、各自所有するコンピュータを外部端末として通信回線１０５に接続することで、当該外部端末から通信回線１０５を介して印刷装置１１０にアクセス可能である。
【００１３】
外部端末１０１は、入力デバイス（図示せず）を介したユーザからの入力を受け付けて、当該入力に応じて生成した印刷ジョブを、通信回線１０５を介して印刷装置１１０へ送信可能である。
【００１４】
印刷装置１１０は、制御部２００と、制御部２００に接続された、操作パネル１２０、スキャナ１３０、給紙装置部１４０及びプリンタエンジン１５０とを備える。制御部２００は、各種のデータ処理を行い、印刷装置１１０全体の動作を制御する。操作パネル１２０は、タッチパネル等のユーザインタフェース（ＵＩ）を通じて、ユーザによる各種の操作を受け付ける。スキャナ１３０は、光学センサを用いて原稿の画像を読み取って、読み取った画像に対応する画像データを生成する。給紙装置部１４０は、印刷に用いられる記録用紙（シート）がそれぞれ収容されている複数の給紙段（給紙部）を備える給紙装置である。プリンタエンジン１５０は、画像データに基づく画像を記録用紙上に印刷する。
【００１５】
制御部２００は、入出力（Ｉ／Ｏ）制御部１１１、ＲＯＭ１１２、ＲＡＭ１１３、ＣＰＵ１１４、及びＨＤＤ１１５を備え、これらのモジュールは、制御部２００内でシステムバス１１６を介して相互に接続されている。Ｉ／Ｏ制御部１１１は、外部ネットワークとの間の通信を制御する。ＲＯＭ１１２は、各種制御プログラムを格納している。ＲＡＭ１１３は、ＣＰＵ１１４によってＲＯＭ１１２から読み出された制御プログラムが格納される。ＣＰＵ１１４は、ＲＡＭ１１３に格納された制御プログラムを実行し、印刷装置１１０内のデバイスを統括的に制御する。ＨＤＤ１１５は、画像データやプリントデータ等の大容量データを、一時的または長期的に保存するために使用される。システムバス１１６は、制御部２００と、制御部２００の外部に設けられた各デバイスとを互いに接続している。
【００１６】
なお、ＲＡＭ１１３はＣＰＵ１１４の主メモリまたはワークメモリとしても機能する。また、制御プログラム及びオペレーションシステムは、ＲＯＭ１１２の他にもＨＤＤ１１５に格納されていてもよい。更に、印刷装置１１０は、ＮＶＲＡＭ（図示せず）を備えていてもよく、当該ＮＶＲＡＭに、操作パネル１２０から制御部２００に伝達される、印刷装置１１０の設定情報を格納してもよい。
【００１７】
給紙装置部１４０は、複数の給紙段（給紙部、シート収納部）を備える。給紙装置部１４０には、印刷装置１１０の本体が備える給紙段の他に、オプション形式で、外付け給紙段や手差し給紙段のような給紙段を備えていてもよい。本実施形態では、給紙段１４１〜１４６（以下、それぞれ給紙段１〜６と称する。）の合計６つの給紙段が、給紙装置部１４０に備わっているものとする。各給紙段には、記録用紙を収容しておくことが可能である。各給紙段に収容された記録用紙は、後述するように、設定されている印刷条件に従って使用が許可されると、プリンタエンジン１５０へ搬送されて、印刷に使用される。
【００１８】
＜印刷装置１１０のソフトウェア構成＞
図２は、本実施形態に係る印刷装置１１０の概略的なソフトウェア構成を示すブロック図である。図２に示す各ソフトウェアモジュールの機能は、ＣＰＵ１１４が、ＲＯＭ１１２またはＨＤＤ１１５に格納されたプログラムをＲＡＭ１１３に読み出して実行することによって、印刷装置１１０上で実現される。即ち、ＣＰＵ１１４が、図２に示す各ソフトウェアモジュールを実行し、その機能を実行する。
【００１９】
印刷ジョブ解析部２０１は、外部端末１０１から送信された印刷ジョブや印刷装置１１０で生成されたコピージョブ等、印刷装置１１０で受け付けた各種の印刷ジョブを解析し、当該印刷ジョブに含まれる印刷設定を抽出する。本実施形態では、印刷設定には例えば以下の設定が含まれる。
・印刷に使用される記録用紙のサイズ（用紙サイズ）
・印刷に使用される記録用紙のタイプ（用紙タイプ）
・給紙元についての設定（自動選択、またはいずれかの給紙段の指定）
・排紙先についての設定（排紙トレイ、またはフィニッシング装置）
・マルチカラー印刷またはモノカラー（モノクロ）印刷の設定
・片面印刷または両面印刷の設定
・画像処理等の実行すべき機能に関する設定
印刷ジョブ解析部２０１によって、印刷ジョブから抽出された印刷設定は、ＲＡＭ１１３またはＨＤＤ１１５に一時的に保存される。なお、記録用紙のサイズ及びタイプ（種類）は、記録用紙の特性の一例である。
【００２０】
印刷データ展開部２０２は、印刷装置１１０で受け付けた印刷ジョブに含まれる印刷データを、プリンタエンジン１５０における印刷に使用可能な画像データ（ビットマップデータ）に展開する。外部端末１０１から受信した印刷データは、通常、ページ記述言語（ＰＤＬ）等で記述されている。このため、印刷データ展開部２０２は、ＰＤＬで記述された印刷データを、ビットマップデータに展開する。印刷データが外部端末１０１等で予めビットマップデータに展開されている場合、印刷データ展開部２０２は、当該ビットマップデータを、プリンタエンジン１５０に対応した色空間のデータに変換する色変換処理のみを行う。また、印刷装置１１０でコピージョブが生成された場合、印刷データ展開部２０２は、スキャナ１３０で生成された画像データをビットマップデータに展開する。印刷データ展開部２０２によって生成されたビットマップデータは、ＲＡＭ１１３またはＨＤＤ１１５に一時的に保存される。
【００２１】
ビットマップデータ転送部２０３は、プリンタエンジン１５０における印刷の実行タイミングに合わせて、ＲＡＭ１１３またはＨＤＤ１１５に保存されているビットマップデータを、プリンタエンジン１５０に転送する。
【００２２】
メディアライブラリ２０４は、印刷装置１１０で扱う記録用紙（シート）に関する情報に相当する用紙情報を管理するためのデータベースに相当する。当該データベースはＨＤＤ１１５に格納される。用紙情報には、後述するように、対応する記録用紙を使用した印刷を許可する条件を規定した印刷条件が含まれる。また、ＣＰＵ１１４は、メディアライブラリ２０４が管理する（データベースに含まれる）情報を、ＨＤＤ１１５から読み出すとともに、メディアライブラリ２０４（データベース）に情報を登録するために、当該情報をＨＤＤ１１５に書き込む。メディアライブラリ２０４には、印刷装置１１０の出荷時に、一般的に使用される記録用紙に関する情報が予め登録されている。
【００２３】
用紙登録設定部２０５は、ユーザに、操作パネル１２０を介して必要に応じて用紙情報の追加、削除または編集を行わせ、操作パネル１２０を介して入力された情報に基づいて、メディアライブラリ２０４を操作する。
【００２４】
用紙アサイン設定部２０６は、用紙登録設定部２０５によって設定され、メディアライブラリ２０４に含まれる用紙情報を、給紙装置部１４０に含まれる給紙段１〜６のそれぞれに割り当てる。具体的には、用紙アサイン設定部２０６は、操作パネル１２０を介したユーザの選択に応じて、メディアライブラリ２０４内の用紙情報を各給紙段に割り当てる。これにより、各給紙段には、ユーザが収容させた記録用紙に対応する用紙情報が割り当てられることになる。
【００２５】
給紙段決定部２０７は、印刷ジョブ解析部２０１によって抽出された印刷設定と、メディアライブラリ２０４に登録されている用紙情報とに基づいて、印刷ジョブに従った印刷に用いる記録用紙の給紙元の給紙段を選択する。給紙段決定部２０７は、印刷設定に含まれる給紙元についての設定として、印刷ジョブに使用すべき記録用紙の給紙元を自動的に選択する「自動選択」が設定されている場合、給紙元として用いる給紙段を、後述する手順（図１３）で給紙段１〜６から選択する。給紙段決定部２０７によって決定された給紙段に収容されている記録用紙は、印刷の実行タイミングに合わせてプリンタエンジン１５０に搬送され、印刷の対象となる。
【００２６】
＜用紙情報の設定＞
次に、図３乃至図８を参照して、印刷装置１１０において用紙登録設定部２０５によって実行される、印刷条件を含む用紙情報を設定する処理について説明する。
【００２７】
一般に、印刷装置１１０のような画像形成装置において使用可能な記録用紙のタイプには制限がある。本実施形態に係る印刷装置１１０では、プリンタエンジン１５０、給紙装置部１４０及び排紙装置部（図示せず）の構造（物理的な制約）に起因して、給紙、搬送及び印刷に使用可能な記録用紙のタイプが定まる。通常は、画像形成装置ごとに、印刷可能な記録用紙が製造会社によって規定される。また、規定された記録用紙以外の記録用紙を使用した場合、画像形成装置において、ユーザが期待する印刷結果が得られなかったり、記録用紙が装置内部で詰まったり、あるいは、装置自体に故障が生じるおそれがある。
【００２８】
図３は、印刷装置１１０において設定されている、記録用紙のタイプに関する情報の一例である。この情報は、ＲＯＭ１１２またはＨＤＤ１１５に格納されており、必要に応じてＣＰＵ１１４によってＲＡＭ１１３に読み出されて使用される。ここでは、例えば、記録用紙の形状、表面性（表面特性）、及び記録用紙の重さを表す坪量の情報に基づいて、用紙タイプが設定されているが、本発明は必ずしも図３に示す情報のみに限定されない。なお、表面性（表面特性）とは、図３に示すように、上質、再生紙、片面コート、フィルム等、記録用紙の表面の特性を表す。
【００２９】
本実施形態では、例えば、形状が「ノーマル」で、表面性が「上質」で、更に坪量が８１〜１００ｇ／ｍ2の範囲にある記録用紙のタイプを「普通紙」として設定している。また、それと同一の形状及び表面性で、坪量が１０１〜２００ｇ／ｍ2の範囲にある記録用紙のタイプを「厚紙」として設定している。プリンタエンジン１５０は、図３に示すように設定されている用紙タイプに応じて、例えば印刷速度及び定着温度等の、印刷制御プロセスのパラメータを制御しうる。
【００３０】
図４は、印刷装置１１０において設定されている、用紙サイズ及び用紙タイプに対応する印刷機能に関する情報の一例である。この情報は、ＲＯＭ１１２またはＨＤＤ１１５に格納されており、必要に応じてＣＰＵ１１４によってＲＡＭ１１３に読み出されて使用される。ここでは、例えば、用紙サイズ及び用紙タイプの組み合わせごとに、両面印刷の可否、給紙可能な給紙段（給紙元）、排紙可能な排紙先、及びフィニッシング装置の機能が設定されているが、本発明は必ずしも図４に示す情報のみに限定されない。
【００３１】
本実施形態では、例えば、用紙サイズが「Ａ４」で、用紙タイプが「厚紙」の記録用紙については、両面印刷が不可能で、いずれの給紙段からも給紙可能であり、くるみ製本装置及び断栽装置が排紙先として使用できない。ここで、両面印刷が不可能であるのは、坪量が大きい記録用紙は厚みがあり、プリンタエンジン１５０内で記録用紙を反転させることができないためである。即ち、装置の物理的な制約に起因している。坪量の大きい「コート紙２」及び「タブ紙２」についても、同様の理由により両面印刷が不可能である。なお、図３及び図４に示した情報は、製品出荷時に、印刷装置１１０内に変更不可能な状態で予め設定されているため、ユーザが変更することはできない情報である。
【００３２】
図５は、印刷装置１１０において設定及び管理されている、メディアライブラリ２０４に登録されている用紙情報の一例を示す図である。メディアライブラリ２０４は、個別の記録用紙に関する用紙情報のリストに相当し、ＲＯＭ１１２またはＨＤＤ１１５に格納されており、ＣＰＵ１１４によって必要に応じてＲＡＭ１１３に読み出されて使用される。メディアライブラリ２０４には、印刷装置１１０内に予め設定されている情報と、後述するように、ユーザによって登録される情報とが、用紙情報として含まれる。図５では、例えば、記録用紙の名称、属性、坪量、表面性（表面特性）及び色といった、記録用紙の特性を示す情報が、用紙情報としてメディアライブラリ２０４に登録されている。メディアライブラリ２０４には、更に、後述する印刷条件を示す情報が、記録用紙の特性を示す情報と関連付けて、用紙情報として登録されている。ただし、用紙情報は、必ずしも図５に示す情報のみに限定されない。
【００３３】
記録用紙の「属性」は、印刷装置１１０内に予め設定されている記録用紙に関する情報（「基本用紙」）であるのか、ユーザが任意に登録した記録用紙に関する情報（「ユーザ指定」）であるのかを示し、それらを区別可能にするための情報である。「坪量」及び「表面性」は、図３と同様である。「条件」は、後述するように、ユーザによって設定された印刷条件を示す。なお、「色」は、図５に示すように、白、クリーム、透明、（色紙の場合は）赤、黄等、記録用紙の色味を表す。
【００３４】
ユーザは、用紙登録設定部２０５を介して、自らが使用したい任意の記録用紙に関する用紙情報を設定し、設定した情報をメディアライブラリ２０４に登録できるとともに、登録した情報を変更または削除できる。ただし、「基本用紙」として登録されている記録用紙の情報についてはユーザが削除できない仕様になっている。
【００３５】
（用紙情報の設定例）
図６〜図８は、用紙登録設定部２０５を介して、ユーザが記録用紙についての用紙情報を設定するためのメニュー画面の一例である。これらのメニュー画面は、例えば操作パネル１２０に表示され、ユーザによって操作が行われる。また、外部端末１０１から、外部インタフェース（図示せず）を介して操作可能にしてもよい。
【００３６】
図６は、記録用紙の種類（タイプ）を管理及び設定するためのメニューの先頭画面の一例を示す図である。ユーザによってメニュー画面（図示せず）等から用紙種類（用紙タイプ）の管理設定画面へ遷移するためのボタンが押下されると、ＣＰＵ１１４は、操作パネル１２０に管理設定画面６０１を表示する。
【００３７】
リスト６０２には、メディアライブラリ２０４に現在登録されている記録用紙の情報がリスト形式で表示されている。ここでは、一例として、用紙名称及び坪量が表示されている。リスト６０２に表示すべき情報は、操作パネル１２０を介してユーザが変更できるようにしてもよい。なお、図６では、メディアライブラリ２０４に登録されている情報の一部のみを一例として表示している。しかし、メディアライブラリ２０４に含まれる全ての記録用紙の情報が表示されてもよいし、あるいは、他の記録用紙の情報も更に表示可能であってもよい。また、例えば「ユーザ指定」の記録用紙に関する情報のみを、リスト６０２に表示してもよい。
【００３８】
ボタン６０３は、記録用紙に関する情報の編集を行うためのボタンである。ボタン６０４は、記録用紙に関する情報を複製し、記録用紙に関する新たな情報を追加するためのボタンである。ボタン６０５は、メディアライブラリ２０４に登録されている記録用紙に関する情報を削除するためのボタンである。ボタン６０６は、後述するように、用紙登録設定部２０５を介して、記録用紙に関する情報を新たに登録するためのボタンである。ボタン６０６を用いたユーザの操作によって、後述するように、任意の給紙段について、記録用紙に関する情報が登録されうる。ボタン６０７は、用紙種類の管理及び設定を終了するためのボタンである。ユーザによってボタン６０７が押下されると、ＣＰＵ１１４は、管理設定画面６０１を閉じ、元のメニュー画面を操作パネル１２０に表示する。
【００３９】
図７は、用紙種類の編集を行うための設定画面の一例を示す図である。ユーザによって編集ボタン６０３が押下されると、ＣＰＵ１１４は、操作パネル１２０へ用紙種類の編集画面７０１を表示する。ここでは、一例として、用紙名称、坪量、表面性、色、及び印刷条件を表示している。
【００４０】
ユーザによって変更ボタン７０２〜７０６のいずれかが押下されると、ＣＰＵ１１４は、押下されたボタンに対応する設定項目の編集（変更）画面を表示する。用紙名称を変更するための変更ボタン７０２が押下されると、テキスト入力画面（図示せず）を表示し、その画面上で任意の文字入力を受け付け、用紙名称を変更する。坪量を変更するための変更ボタン７０３が押下されると、数値入力画面（図示せず）を表示し、その画面上で任意の数値の入力を受け付け、坪量を変更する。表面性を変更するための変更ボタン７０４が押下されると、設定変更画面（図示せず）を表示し、その画面上で表面性の変更を受け付け、表面性を変更する。色を変更するための変更ボタン７０５が押下されると、設定変更画面（図示せず）を表示し、その画面上で色の変更を受け付け、色を変更する。
【００４１】
図８は、用紙の条件設定（用紙を使用した印刷に関する印刷条件の設定）を行うための設定画面の一例を示す図である。ユーザによって印刷条件を変更するための変更ボタン７０６が押下されると、ＣＰＵ１１４は、操作パネル１２０へ用紙の条件設定画面８０１を表示する。条件設定画面８０１では、ユーザによって投入され、印刷ジョブ解析部２０１によって解析された印刷ジョブに含まれる印刷設定の内容に応じて、記録用紙の使用について制限を掛けるための印刷条件の設定が可能である。本実施形態では、条件設定画面８０１を介して、記録用紙に対して、マルチカラー印刷のみ、マルチカラー印刷のみ、モノカラー印刷のみ、または、マルチカラー印刷及びモノカラー印刷の両方、を許可することを、印刷条件として設定可能にする。
【００４２】
チェックボックス８０２〜８０４は、それぞれ、印刷制限を掛ける状態を指定するために使用される。チェックボックス８０２は、印刷ジョブ設定に関連する制限を掛けない状態（即ち、マルチカラー印刷及びモノカラー印刷の両方を許可）を指定するために用いられる。チェックボックス８０３は、印刷ジョブがカラー印刷（マルチカラー印刷）を行う印刷ジョブである場合にのみ、記録用紙の使用を許可する状態を指定するために用いられる。チェックボックス８０４は、印刷ジョブがモノクロ印刷（モノカラー印刷）を行う印刷ジョブである場合にのみ、記録用紙の使用を許可する状態を指定するために用いられる。ボタン８０５は、用紙の条件設定を終了するために用いられる。ユーザによってボタン８０５が押下されると、ＣＰＵ１１４は、メディアライブラリ２０４に含まれる情報を更新し、条件設定画面８０１を閉じ、管理設定画面６０１を表示する。
【００４３】
印刷装置１１０において、このようにして設定された印刷条件は、図９を用いて後述するように、当該印刷条件に対応する記録用紙が収容されている給紙段に対応付けられる。これは、当該印刷条件を含む用紙情報が、当該用紙情報に対応する記録用紙が収容されている給紙段に割り当てられることによって行われる。このようにして、印刷装置１１０は、収容されている記録用紙についての印刷条件を、給紙段ごとに設定する。印刷装置１１０は、入力された印刷ジョブから抽出される、当該印刷ジョブに従った印刷のための印刷設定が、いずれかの給紙段について設定された印刷条件に適合する場合に、当該印刷条件が設定されている給紙段を、記録用紙の給紙元として使用する。
【００４４】
本実施形態では、条件設定画面８０１を用いることによって、給紙段１〜６のそれぞれについて、収納されている記録用紙に対して、マルチカラー印刷のみ、モノカラー印刷のみ、を許可することを、印刷条件として設定可能である。また、給紙段１〜６のそれぞれについて、収納されている記録用紙に対して、マルチカラー印刷及びモノカラー印刷の両方を許可することも、印刷条件として設定可能である。このようにして、印刷条件に適合しない印刷設定を含む印刷ジョブが、当該印刷条件が設定された給紙段に収容されている記録用紙を使用して実行されることを回避する。これにより、印刷ジョブの実行を指示したユーザが、印刷設定に適合した記録用紙を使用した所望の印刷結果を得ることが可能になる。
【００４５】
なお、印刷条件として他の条件を設定可能にしてもよい。例えば、片面印刷のみ、両面印刷のみ、または、片面印刷及び両面印刷の両方、を許可することを、印刷条件として設定可能にしてもよい。その場合にも、本実施形態と同様の効果を得ることができる。
【００４６】
＜給紙段に対する用紙情報の割り当て＞
次に、図９及び図１０を参照して、印刷装置１１０において用紙アサイン設定部２０６（ＣＰＵ１１４）によって実行される、メディアライブラリ２０４に含まれる用紙情報を給紙段１〜６に割り当てる処理（用紙アサイン設定）について説明する。
【００４７】
図９は、用紙アサイン設定を行うための設定画面の一例を示す図である。ユーザによってメニュー画面（図示せず）等から用紙アサイン設定のための設定画面へ遷移するためのボタンが押下されると、ＣＰＵ１１４は、操作パネル１２０へ用紙アサイン設定のための設定画面９０１を表示する。ここでは、一例として、給紙装置部１４０に存在する給紙段１〜６のそれぞれについて、給紙段番号、用紙の残量、用紙サイズ、及び、現在割り当てられている（登録されている）記録用紙の名称をそれぞれ示す情報を、設定画面９０１にリスト表示している。なお、設定画面９０１には、図９に示す情報だけでなく、その他の情報、例えば坪量等の記録用紙の特性を示す情報が表示されてもよい。ユーザは、記録用紙を新たに給紙段に補給する場合、対象となる給紙段に記録用紙を補給するだけでなく、補給した記録用紙に関する用紙情報を、用紙アサイン設定部２０６によって、設定画面９０１を介して登録しうる。
【００４８】
項目９０２〜９０７は、それぞれ給紙段１〜６について登録されている記録用紙の名称である。ユーザによっていずれかの給紙段が選択された状態で詳細表示ボタン９０８が押下されると、ＣＰＵ１１４は、操作パネル１２０へ印刷詳細情報画面（図示せず）を表示する。印刷詳細情報とは、例えば、図７において例示した記録用紙の設定情報に相当する。変更ボタン９０９は、各給紙段について登録されている情報を変更するためのボタンであり、ユーザによっていずれかの給紙段が選択された状態で、変更ボタン９０９が押下されると、ＣＰＵ１１４は、登録情報の変更のための画面を操作パネル１２０に表示する。以下では、一例として、まず補給された記録用紙のサイズを選択させ、続いて記録用紙に関する情報を選択させる方法を示すものの、必ずしもこの方法に限定されない。
【００４９】
図１０は、用紙サイズの選択を行うための選択画面の一例を示す図である。変更ボタン９０９が押下されると、ＣＰＵ１１４は、用紙サイズの選択画面１００１を表示する。ボタン１００２〜１０１０は、それぞれ異なる記録用紙のサイズに対応し、対応する用紙サイズを選択するために用いられる。ユーザによってボタン１００２〜１０１０のいずれかが押下されると、ＣＰＵ１１４は、対象の給紙段についての登録情報に、押下されたボタンに対応する用紙サイズを設定する。表示切替ボタン１０１１が押下されると、例えば、「Ａ判」、「Ｂ判」といったミリ単位の用紙サイズから、「Ｌｅｔｔｅｒ」、「Ｌｅｇａｌ」といったインチ単位の用紙サイズに表示が変更される。ボタン１０１２は、次の設定画面へ表示を遷移するために用いられ、任意の用紙サイズが指定されると押下可能な状態となる。
【００５０】
ボタン１０１２が押下されると、続いて記録用紙に関する情報を選択するための画面が操作パネル１２０に表示される。本実施形態では、ＣＰＵ１１４は、そのような画面として、図６に示した管理設定画面６０１を操作パネル１２０に表示する。管理設定画面６０１において、ユーザが記録用紙を選択し、登録ボタン６０７を押下すると、ＣＰＵ１１４は、メディアライブラリ２０４に格納されている、当該記録用紙に関する情報（用紙情報）を、対象の給紙段についての登録情報として設定する。更に、用紙アサイン設定のための設定画面９０１における対象の給紙段について、設定した情報を表示する。
【００５１】
以上のように、ＣＰＵ１１４（用紙登録設定部２０５及び用紙アサイン設定部２０６）は、給紙段１〜６のそれぞれに収容されている記録用紙についての印刷条件を、ユーザの指示に応じて給紙段ごとに（上記の登録情報として）設定する。具体的には、ＣＰＵ１１４は、設定された印刷条件を、メディアライブラリ２０４に含まれる用紙情報の一部としてＨＤＤ１１５に記憶させるとともに、当該用紙情報を、対応する記録用紙が収容されている給紙段と関連付けた状態で、ＨＤＤ１１５に記憶させる。これにより、給紙段１〜６のそれぞれについて、収容されている記録用紙に対応する印刷条件が、用紙情報に含まれる、当該記録用紙の特性と関連付けた状態で、（上記の登録情報として）ＨＤＤ１１５に記憶されることになる。
【００５２】
なお、図１０に示す設定画面を介して設定された、給紙段１〜６に収容されている記録用紙に対応する用紙サイズを示す情報も、上記の記録用紙の特性に含まれる。ＣＰＵ１１４は、用紙サイズを示す情報についても、用紙情報の一部としてＨＤＤ１１５に記憶させることによって、印刷ジョブの実行の際に使用する。なお、給紙段１〜６に収容されている記録用紙に対応する用紙サイズは、各給紙段に備えられている用紙サイズ検知センサからの情報に従って、ＣＰＵ１１４が特定してもよい。
【００５３】
＜外部端末１０１における印刷ジョブの生成処理＞
次に、図１１を参照して、外部端末１０１における印刷ジョブの生成処理の手順について説明する。本実施形態では、一例として、外部端末１０１において印刷ジョブが生成される場合について説明する。図１１に示す各ステップの処理は、外部端末１０１において記憶装置（図示せず）に格納されたプリンタドライバによって実行される。
【００５４】
Ｓ１１０１で、プリンタドライバは、ユーザから給紙段の選択を受け付ける。ここでは、印刷装置１１０において使用可能な給紙段１〜６のうちいずれかの給紙段を選択可能である。あるいは、印刷ジョブに従った印刷に用いる記録用紙の給紙元として用いる給紙段を自動的に選択する「自動選択」を指定することも可能である。Ｓ１１０２で、プリンタドライバは、ユーザから用紙サイズの選択を受け付ける。ここでは、印刷対象の原稿と同一のサイズを選択可能である。あるいは、任意のサイズを選択し、印刷対象の原稿が選択したサイズに収まるように、印刷データに対応する画像サイズを拡大または縮小することも可能である。
【００５５】
Ｓ１１０３で、プリンタドライバは、ユーザから用紙タイプの選択を受け付ける。ここでは、図９に示す給紙段のそれぞれについて登録されている用紙タイプの中から選択可能である。あるいは、用紙タイプを自動的に選択する「自動選択」を指定することも可能である。Ｓ１１０４で、プリンタドライバは、ユーザから用紙サイズ及び用紙タイプ以外の印刷設定の指定を受け付ける。ここでは、プリンタドライバは、印刷部数の指定、両面印刷の指定、各種画像処理機能の設定等、印刷装置１１０が印刷ジョブを実行する際に使用可能な印刷設定についての指定を受け付ける。
【００５６】
最後に、Ｓ１１０５で、プリンタドライバは、Ｓ１１０１〜Ｓ１１０４で受け付けた各印刷設定に従って、印刷ジョブを生成する。プリンタドライバは、生成した印刷ジョブを、通信回線１０５を通じて外部端末１０１から印刷装置１１０に送信する。印刷装置１１０は、外部端末１０１から印刷ジョブを受信すると、印刷ジョブ解析部２０１に、受信した印刷ジョブを解析させる。
【００５７】
＜印刷装置１１０における印刷処理＞
次に、図１２及び図１３を参照して、印刷装置１１０が実行する印刷処理について説明する。図１２は、印刷装置１１０によって実行される、印刷処理の手順を示すフローチャートである。印刷ジョブが入力されると、印刷装置１１０は印刷処理を開始する。なお、Ｓ１２０１は、印刷ジョブ解析部２０１による処理に相当し、Ｓ１２０２、Ｓ１２０３、Ｓ１２０５及びＳ１２０６は、給紙段決定部２０７による処理に相当する。
【００５８】
Ｓ１２０１で、ＣＰＵ１１４は、入力された印刷ジョブについての印刷設定を解析する。印刷ジョブ解析部２０１は、入力された印刷ジョブに従った印刷のための印刷設定を、当該印刷ジョブから抽出する。この印刷設定には、上述のように、印刷ジョブに使用すべき記録用紙（シート）の給紙元についての設定が含まれる。Ｓ１２０１における解析結果として得られた、印刷設定で指定されている各設定値に基づいて、以下の処理が実行される。
【００５９】
Ｓ１２０２で、ＣＰＵ１１４は、印刷ジョブにおいて、給紙段（給紙元）を自動的に選択する自動選択が、給紙元についての設定として設定されているか否かを判定する。自動選択が設定されている場合（Ｓ１２０２で「ＹＥＳ」）、ＣＰＵ１１４は、処理をＳ１２０３に進め、（図１３を参照して後述する）給紙段決定処理によって、給紙元として用いる給紙段を決定する。更に、Ｓ１２０４で、ＣＰＵ１１４は、Ｓ１２０３で決定した給紙段から記録用紙を給紙させて、プリンタエンジン１５０に印刷処理を実行させる。即ち、プリンタエンジン１５０は、Ｓ１２０３で決定された給紙段に収容されている記録用紙を使用して、印刷ジョブを実行する。
【００６０】
一方、Ｓ１２０２で、ＣＰＵ１１４は、印刷ジョブにおいて、給紙段についての設定として、いずれかの給紙段が指定されている場合（Ｓ１２０２で「ＮＯ」）、処理をＳ１２０５に進める。Ｓ１２０５で、ＣＰＵ１１４は、指定された給紙段に収容されている記録用紙に関する用紙情報を、ＨＤＤ１１５（メディアライブラリ２０４）から取得する。更に、Ｓ１２０６で、ＣＰＵ１１４は、Ｓ１２０１で解析された印刷設定が、Ｓ１２０５で取得した用紙情報に含まれる、指定された給紙段に対応する印刷条件に適合するか否かを判定する。本実施形態では、Ｓ１２０１で抽出した印刷設定に含まれる、印刷カラーの設定（マルチカラー印刷またはモノカラー印刷の指定）が、指定された給紙段に収容された記録用紙について条件設定画面８０１を用いて設定された印刷条件に適合するか否かを判定する。
【００６１】
ＣＰＵ１１４は、印刷設定が印刷条件に適合すると判定した場合（Ｓ１２０６で「ＹＥＳ」）、処理をＳ１２０７に進め、指定された給紙段を記録用紙の給紙元として決定する。更に、ＣＰＵ１１４は、当該指定された給紙段から記録用紙を給紙させて、プリンタエンジン１５０に印刷処理を実行させる。一方で、ＣＰＵ１１４は、印刷設定が印刷条件に適合しないと判定した場合（Ｓ１２０６で「ＮＯ」）、指定された給紙段に収容されている記録用紙を用いた印刷は不可能であり、印刷は許可されないため、印刷エラーが発生したと判断する。この場合、ＣＰＵ１１４は、例えば印刷エラーが発生したことを示すエラーメッセージを操作パネル１２０に表示することによって、印刷エラーの発生をユーザに通知してもよい。ここで、ＣＰＵ１１４は、指定された給紙段に収容されている記録用紙を用いた印刷ができないことをユーザに通知するためのメッセージを操作パネル１２０に表示することによって印刷エラーを通知してもよいし、音によって印刷エラーを通知してもよい。
【００６２】
なお、Ｓ１２０６で、印刷設定が印刷条件に適合しないと判定した場合（Ｓ１２０６で「ＮＯ」）、ＣＰＵ１１４は、指定された給紙段とは異なる給紙段から、使用可能な記録用紙が収容された給紙段を自動的に選択してもよい。即ち、ＣＰＵ１１４は、設定された印刷条件に印刷設定が適合することによって、収容されている記録用紙を使用した印刷が許可される給紙段を、指定された給紙段とは異なる給紙段から特定し、特定した給紙段を給紙元として決定してもよい。これにより、指定された給紙段に対応する印刷条件に印刷設定が適合しない場合でも、自動的に他の給紙段を選択して、所望の印刷設定で実行された印刷結果を得ることが可能になる。
【００６３】
（Ｓ１２０３における給紙段決定処理）
ここで、図１３を参照して、Ｓ１２０３においてＣＰＵ１１４（給紙段決定部２０７）が実行する給紙段決定処理について説明する。Ｓ１２０３では、ＣＰＵ１１４は、給紙段１〜６のうち、設定された印刷条件に、印刷ジョブに含まれる印刷設定が適合することによって、収容されている記録用紙を使用した印刷が許可される給紙段を特定するとともに、特定した給紙段を給紙元として決定する。
【００６４】
具体的にはまず、Ｓ１３０１で、ＣＰＵ１１４は、給紙段１〜６のうちの１つを、１つ目の給紙段を候補として選択する。続いて、Ｓ１３０２で、ＣＰＵ１１４は、選択した給紙段について登録されている用紙情報に含まれる記録用紙の特性が、印刷ジョブの印刷設定において設定されている記録用紙の特性と一致するか否かを判定する。即ち、ＣＰＵ１１４は、印刷設定に設定されている特性を有する記録用紙が、選択した給紙段に収容されているのか否かを判定する。Ｓ１３０２で、ＣＰＵ１１４は、記録用紙の特性が一致すると判定した場合（Ｓ１３０２で「ＹＥＳ」）、処理をＳ１３０３に進める一方で、一致しないと判定した場合（Ｓ１３０２で「ＮＯ」）、処理をＳ１３０５へ進める。
【００６５】
なお、Ｓ１３０２（及びＳ１３０３）では、ＣＰＵ１１４は、ＨＤＤ１１５（メディアライブラリ２０４）を参照して、選択された給紙段に対応する用紙情報を読み出して、読み出した用紙情報に含まれる記録用紙の特性及び印刷条件を用いて判定を行う。また、本実施形態では、Ｓ１３０２における判定では、記録用紙の特性として、用紙サイズ及び用紙タイプが用いられ、その両方について一致するか否かが判定される。
【００６６】
Ｓ１３０３で、ＣＰＵ１１４は、選択された給紙段に対応する（設定されている）印刷条件に、印刷設定が適合するか否かを判定することによって、当該給紙段に収容されている記録用紙を使用した印刷が許可されるか否かを判定する。ＣＰＵ１１４は、印刷条件に印刷設定が適合すると判定した場合（Ｓ１３０３で「ＹＥＳ」）、処理をＳ１３０４に進め、当該特定した給紙段を給紙元として決定する。一方で、ＣＰＵ１１４は、印刷条件に印刷設定が適合しないと判定した場合（Ｓ１３０３で「ＮＯ」）、処理をＳ１３０５に進める。
【００６７】
Ｓ１３０２またはＳ１３０３からＳ１３０５に処理を進めると、ＣＰＵ１１４は、選択した給紙段に収容されている記録用紙の使用が、印刷ジョブの実行に適さないと判断し、選択した給紙段とは異なる、他の選択可能な給紙段が存在するか否かを判定する。ＣＰＵ１１４は、他の選択可能な給紙段が存在しないと判定した場合（Ｓ１３０５で「ＮＯ」）、例えば印刷エラーが発生したことを示すエラーメッセージを操作パネル１２０に表示することによって、印刷エラーの発生をユーザに通知する。その後、印刷ジョブの実行を終了する。ここで、ＣＰＵ１１４は、印刷に適合する記録用紙がないことをユーザに通知するためのメッセージを操作パネル１２０に表示することによって印刷エラーを通知してもよいし、音によって印刷エラーを通知してもよい。
【００６８】
一方、ＣＰＵ１１４は、他の給紙段が存在すると判定した場合（Ｓ１３０５で「ＹＥＳ」）、処理をＳ１３０６に進め、次の給紙段を選択して、再度Ｓ１３０２以下の処理を実行する。これにより、当該次の給紙段に格納されている記録用紙の使用が、印刷ジョブの実行に適しているかどうかを判断する。このような処理を各給紙段について繰り返し、印刷ジョブの実行に使用可能な記録用紙が収納されている給紙段を特定する。
【００６９】
（印刷処理の実行例）
本実施形態では、上述のように、各給紙段に収納されている記録用紙に対して、マルチカラー印刷のみ、モノカラー印刷のみ、または、マルチカラー印刷及びモノカラー印刷の両方、を許可することを、印刷条件として設定可能である。ここでは、かかる印刷条件に基づく印刷処理の一例について説明する。なお、各記録用紙についての印刷条件を含む用紙情報は、図５に示した情報から成り、メディアライブラリ２０４に保持されているものとする。また、給紙段１〜６に対して、図９に示した用紙情報の割り当てが行われることで、給紙段ごとに印刷条件が設定されているものとする。
【００７０】
まず、入力された印刷ジョブから抽出された印刷設定に、以下の設定が含まれる場合を想定する。
・給紙元    ：「自動選択」
・用紙サイズ：「Ａ４」
・用紙タイプ：「ABC Paper Plain」
・印刷カラー：「マルチカラー印刷」
【００７１】
上記の場合、ＣＰＵ１１４は、印刷ジョブにおいて「自動選択」が設定されていると判定し（Ｓ１２０２で「ＹＥＳ」）、Ｓ１２０３（図１３）の処理を実行する。また、ＣＰＵ１１４は、給紙段１について登録されている記録用紙の特性（用紙サイズ：「Ａ４」、用紙タイプ：「ABC Paper Plain」）が、印刷ジョブから抽出された上記の印刷設定と一致すると判定する（Ｓ１３０２で「ＹＥＳ」）。ここで、給紙段１については、マルチカラー印刷のみを許可することが印刷条件として設定されている（図５の「ABC Paper Plain」）。このため、ＣＰＵ１１４は、給紙段１に対応する印刷条件に、印刷ジョブから抽出された印刷設定が適合すると判定する（Ｓ１３０３で「ＹＥＳ」）。その結果、給紙段１に格納されている記録用紙を使用して、印刷ジョブが実行されることになる。
【００７２】
なお、上記の印刷設定において、印刷カラーについての設定として「モノカラー印刷」が設定されていた場合、ＣＰＵ１１４は、給紙段１に対応する印刷条件に印刷設定が適合しないと判定する（Ｓ１３０３で「ＮＯ」）。この場合、給紙段１は給紙元として決定されることはない。最終的には、給紙段１〜６のいずれも給紙元として決定されることなく、印刷エラーの発生がユーザに通知される。
【００７３】
次に、入力された印刷ジョブから抽出された印刷設定に、以下の設定が含まれる場合を想定する。
・給紙元    ：「給紙段１」
・印刷カラー：「モノカラー印刷」
【００７４】
上記の場合、ＣＰＵ１１４は、印刷ジョブにおいて「自動選択」が設定されていないと判定し（Ｓ１２０２で「ＮＯ」）、Ｓ１２０５以降の処理を実行する。ＣＰＵ１１４は、給紙段１について登録されている記録用紙の用紙情報（印刷条件）を取得する（Ｓ１２０５）。ここで、給紙段１については、マルチカラー印刷のみを許可することが印刷条件として設定されている（図５の「ABC Paper Plain」）。このため、ＣＰＵ１１４は、給紙段１に対応する印刷条件に、印刷ジョブから抽出された印刷設定が適合しないと判定する（Ｓ１２０６で「ＮＯ」）。その結果、給紙段１は給紙元として決定されることはなく、印刷エラーの発生がユーザに通知される。
【００７５】
なお、上記の印刷設定において、印刷カラーについての設定として「マルチカラー印刷」が設定されていた場合、ＣＰＵ１１４は、給紙段１に対応する印刷条件に印刷設定が適合すると判定する（Ｓ１２０６で「ＹＥＳ」）。この場合、給紙段１に格納されている記録用紙を使用して、印刷ジョブが実行されることになる。
【００７６】
以上説明したように、本実施形態に係る印刷装置は、複数の給紙段のそれぞれに収容されている記録用紙を使用した印刷を許可する条件を規定した印刷条件を、ユーザの指示に応じて給紙段ごとに設定する。印刷装置は、入力された印刷ジョブから抽出した印刷設定において、給紙元の設定として自動選択が設定されていると、複数の給紙段のうち、設定した印刷条件に基づいて、収容されている記録用紙を使用した印刷が許可される給紙段を、給紙元として決定する。具体的には、設定した印刷条件に、印刷ジョブから抽出した印刷設定が適合することによって、収容されている記録用紙を使用した印刷が許可される給紙段を、給紙元として決定する。更に、印刷装置は、決定した給紙段に収容されている記録用紙を使用して、印刷ジョブを実行する。
【００７７】
本実施形態によれば、印刷装置において、給紙部（給紙段）を自動的に選択する場合にも、印刷設定に対応する給紙段をより適切に選択して、印刷ジョブを実行することができる。具体的には、給紙段について予め設定した記録用紙の印刷条件に、印刷ジョブの印刷設定が適合しない場合に、その印刷条件が設定された給紙段以外の給紙段から、印刷設定に対応する給紙段を給紙元として選択できる。また、給紙段に収容されている記録用紙について、印刷装置の構造上、印刷の実行が制限される印刷設定を避けるように、印刷条件を設定することによって、印刷ジョブの実行に適さない記録用紙が使用されることを自動的に避けることができる。これにより、印刷設定に対応する給紙段をより適切に選択して、印刷ジョブを実行することができる。
【００７８】
［第２の実施形態］
第１の実施形態では、図８等を参照しながら、上述のＳ１２０６及びＳ１３０３で使用されうる印刷条件の設定方法について説明した。しかし、設定された印刷条件によっては、印刷ジョブに含まれる印刷設定が印刷条件に適合した場合であっても、実際には当該印刷条件に従って印刷を実行できない場合がありうる。例えば、印刷条件に従ってマルチカラー印刷が許可された場合に、当該印刷条件に対応する給紙段に収容されている記録用紙が、実際にはマルチカラー印刷に適さない記録用紙であると、当該記録用紙を使用したマルチカラー印刷を実行できない結果となる。
【００７９】
第２の実施形態では、印刷装置が備える各給紙段（給紙段１〜６）に対応する印刷条件を設定する際に、そのような誤った設定が行われないようにすることで、印刷条件をより適切に設定できるようにする。なお、以下では第１の実施形態と共通する部分についてはその説明を省略することで、説明を簡略化する。
【００８０】
図１４は、印刷条件の推奨設定について設定を行うための設定画面の一例を示す図である。ＣＰＵ１１４は、例えば、管理設定画面６０１に設けられた設定ボタン（図示せず）が押下された場合に、図１４に示す設定画面１４０１を操作パネル１２０に表示する。
【００８１】
設定画面１４０１では、一例として、印刷条件に関連するカラー印刷（マルチカラー印刷）及びモノクロ印刷（モノカラー印刷）のそれぞれについて、印刷に適した記録用紙の特性を、印刷条件を設定する際の推奨設定として指定することが可能である。設定画面１４０１において、変更ボタン１４０２または１４０３が押下されると、設定メニュー（図示せず）が表示される。当該設定メニューでは、例えば、記録用紙の坪量の範囲、表面性、及び色といった、記録用紙の特性を示す情報を指定可能である。設定画面１４０１では、カラー印刷に対応する推奨設定として、「片面コート」、「両面コート」または「ラベル」の表面性を有する記録用紙が設定されている。また、モノクロ印刷に対応する推奨設定として、「再生紙」の表面性を有する記録用紙が設定されている。
【００８２】
設定画面１４０１を用いた印刷条件の推奨設定についての設定が完了し、ＯＫボタン１４０４が押下されると、ＣＰＵ１１４は、設定された情報を、ＨＤＤ１１５（メディアライブラリ２０４）に記憶させることで、当該情報を保存する。
【００８３】
次に、図１５を参照して、本実施形態に係る印刷装置１１０によって実行される、印刷条件の設定処理の手順について説明する。以下では、第１の実施形態で説明したように、図８に示す条件設定画面８０１を介して、記録用紙についての印刷条件の設定が行われるものとする。
【００８４】
まず、Ｓ１５０１で、ＣＰＵ１１４（用紙登録設定部２０５）は、操作パネル１２０を用いて、条件設定画面８０１を介して対象の記録用紙について印刷条件が設定されたか否かを判定する。ＣＰＵ１１４は、条件設定画面８０１を用いて印刷条件の設定が行われたと判定した場合（Ｓ１５０１で「ＹＥＳ」）、処理をＳ１５０２に進め、それ以外の場合（Ｓ１５０２で「ＮＯ」）、処理を終了する。
【００８５】
Ｓ１５０２で、ＣＰＵ１１４は、ＨＤＤ１１５（メディアライブラリ２０４）を参照して、印刷条件が設定された場合、設定された印刷条件に対応する記録用紙の特性を示す特性情報を取得する。更に、ＣＰＵ１１４は、Ｓ１５０３で、設定された印刷条件に対応する記録用紙の特性が、設定画面１４０１を介して設定された推奨設定に適合するか否かを判定する。このようにして、ＣＰＵ１１４は、設定された印刷条件に従って記録用紙に対する印刷を実行できるか否かを、記録用紙の特性に基づいて判定する。
【００８６】
ＣＰＵ１１４は、記録用紙の特性が推奨設定に適合しないと判定した場合（Ｓ１５０３で「ＮＯ」）、設定された印刷条件に従って記録用紙に対する印刷を実行することはできないと判定し、処理をＳ１５０５に進める。一方で、ＣＰＵ１１４は、記録用紙の特性が推奨設定に適合すると判定した場合（Ｓ１５０３で「ＹＥＳ」）、設定された印刷条件に従って記録用紙に対する印刷を実行できると判定し、処理をＳ１５０４に進める。Ｓ１５０４で、ＣＰＵ１１４は、設定された印刷条件を、最終的にＨＤＤ１１５（メディアライブラリ２０４）に反映させる。
【００８７】
Ｓ１５０３からＳ１５０５に処理が進んだ場合には、ユーザが誤った印刷条件の設定を行った可能性がある。この場合、ＣＰＵ１１４は、Ｓ１５０５で、Ｓ１５０３における判定結果をユーザに通知する。具体的には、ＣＰＵ１１４は、誤った印刷条件の設定が行われた可能性があることをユーザに通知するとともに、設定された印刷条件に従って記録用紙に印刷を実行することはできないことをユーザに通知する。
【００８８】
更に、ＣＰＵ１１４は、Ｓ１５０６で、Ｓ１５０３における判定結果を無視して、印刷条件の設定を継続するか否かを、ユーザの指示に基づいて判定する。Ｓ１５０６で、例えば、操作パネル１２０を介して、印刷条件の設定を継続すべきことをユーザが指示した場合、ＣＰＵ１１４は、印刷条件の設定をそのまま継続すると判定し（Ｓ１５０６で「ＹＥＳ」）、処理をＳ１５０４に進める。一方で、例えば、印刷条件の設定を変更することをユーザが指示した場合、ＣＰＵ１１４は、印刷条件の設定を継続しないと判定し（Ｓ１５０６で「ＮＯ」）、処理をＳ１５０１に戻す。Ｓ１５０１では、ＣＰＵ１１４は、再び条件設定画面８０１を操作パネル１２０に表示して、印刷条件の設定を受け付ける。
【００８９】
例えば、「XYZ Paper Recycle」という名称の記録用紙は、図５に示すように、「再生紙」の表面性を有する記録用紙として、メディアライブラリ２０４に登録されている。この記録用紙についての印刷条件として、条件設定画面８０１を用いて、「カラー印刷ジョブのみ」が設定された場合を想定する。ここで、図１４（設定画面１４０１）に示すように推奨設定が設定されている場合、「再生紙」は、モノクロ印刷のみについて推奨されている、記録用紙の特性であることがわかる。したがって、この場合、記録用紙の特性が印刷条件の推奨設定に適合しないと判定されることになる（Ｓ１５０３で「ＮＯ」）。その結果、ユーザに対して、Ｓ１５０５における通知が行われることになる。
【００９０】
以上説明したように、本実施形態に係る印刷装置は、記録用紙についての印刷条件を設定する際に、設定された印刷条件が、予め設定された推奨設定に適合するか否かを判定する。これにより、印刷装置は、設定された印刷条件に従って、対応する給紙段に収容されている記録用紙に対する印刷を実際に実行できるか否かを判定する。印刷装置は、更に、その判定結果をユーザに通知する。
【００９１】
本実施形態によれば、第１の実施形態と同等の効果に加え、印刷装置が備える各給紙段（給紙段１〜６）に対応する印刷条件を設定する際に、ユーザに、より適切な印刷条件を設定することを促すことができる。これにより、誤った印刷条件の設定が行われることを防ぐことができる。
【００９２】
［その他の実施形態］
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【図１】
2013256097.tif 000003
【図２】
2013256097.tif 000004
【図３】
2013256097.tif 000005
【図４】
2013256097.tif 000006
【図５】
2013256097.tif 000007
【図６】
2013256097.tif 000008
【図７】
2013256097.tif 000009
【図８】
2013256097.tif 000010
【図９】
2013256097.tif 000011
【図１０】
2013256097.tif 000012
【図１１】
2013256097.tif 000013
【図１２】
2013256097.tif 000014
【図１３】
2013256097.tif 000015
【図１４】
2013256097.tif 000016
【図１５】
2013256097.tif 000017